(57)【要約】  【課題】  短時間で自動的に室内機の識別アドレスを設定でき、また室内機増設時に識別アドレスを再設定するものである。  【解決手段】  室内機１０の識別アドレスを記憶するアドレス記憶部８と、複数の室内機１０の冷媒流量を制御する分岐ユニット１とアドレス記憶部８の識別アドレスにて通信を行う室内通信部４と、室内機１０の熱交換器温度を検知する温度検知部５と、室内機１０と通信を行う分岐ユニット通信部３と、接続室内機の冷媒流量を制御する冷媒制御弁２と、アドレス設定開始部６と、室内機の識別アドレスを決定するアドレス決定部７で構成することによって、短時間で自動的に室内機の識別アドレスを設定でき、また室内機増設時に識別アドレスを再設定できるものである。【選択図】  図１
2005055052.tif 000002
【特許請求の範囲】
【請求項１】
室内機の識別アドレスを記憶するアドレス記憶部と、複数の室内機の冷媒流量を制御する分岐ユニットと、前記アドレス記憶部の識別アドレスにて前記分岐ユニットと通信を行う室内通信部と、室内機の熱交換器温度を検知する温度検知部と、室内機と通信を行う分岐ユニット通信部と、接続された室内機の冷媒流量を制御する冷媒制御弁と、アドレス設定開始部と、室内機の識別アドレスを決定するアドレス決定部とを備え、前記分岐ユニット通信部と前記冷媒制御弁と前記アドレス設定開始部と前記アドレス決定部とが前記分岐ユニットに設けられたことを特徴とする空気調和機。
【発明の詳細な説明】
【技術分野】
【０００１】
本発明は、マルチシステム型の空気調和機に関するものであり、特に分岐配管用の分岐ユニットを用いる際の分岐ユニットに接続される複数の室内機に対する識別アドレスを自動設定する空気調和機に関するものである。
【背景技術】
【０００２】
従来、１台の室外機に対して複数台の室内機を接続するマルチシステム型の空気調和機が知られている。この空気調和機では、室外機には複数の冷媒配管接続用の複数の接続口が設けられており、これらの各配管接続口に一対一で室内機が接続されている。このような空気調和機の運転を円滑に制御するためには、室外機において室外機側の接続配管口と室内機との接続対応関係が明確にされなければならない（例えば特許文献１参照）。以下、従来の空気調和機について図２を用いて説明する。図２は前記特許文献１に記載された従来の空気調和機の構成を模式的に表わした模式図である。
【０００３】
図２において、冷房時の冷媒の流れを実線で示し、暖房時の冷媒の流れを破線で示す。２１はコンプレッサー、２２は四方弁、２３は熱交換器、２４は流量制御弁であり、以上の構成要素は室外機に設けられている。２５は熱交換器、２６は温度検知部であり、以上の構成要素は室内機Ａ、Ｂに夫々設けられている。２７は冷媒配管である。
【０００４】
以上のように構成された空気調和機について、以下その動作を説明する。
【０００５】
まず、個々の室内機Ａ、Ｂ毎に設けられた流量制御弁４ａ、４ｂを全開し、全開時の室内機側の熱交換器５ａ、５ｂの温度を温度検知部２６ａ、２６ｂによって、第1温度として検知する。次いで、流量制御弁４ａ、４ｂを一個ずつ閉鎖し、閉鎖した時の室内機側の熱交換器５ａ、５ｂの温度を温度検知部２６ａ、２６ｂによって第２温度として検出し、この第２温度から第１温度を基準として予め定められた変化が得られた熱交換器５ａ、５ｂに対応する室内機Ａ、Ｂを、閉鎖した流量制御弁４ａ、４ｂに対応する冷媒配管接続口に接続された室内機Ａ、Ｂとして認識して、当該認識された室内機Ａ、Ｂ夫々に固有の識別アドレスを設定していた。
【特許文献１】特開平９−２２９４５７号公報
【発明の開示】
【発明が解決しようとする課題】
【０００６】
しかしながら上記従来の構成では、流量制御弁４ａ、４ｂを複数台操作するのに時間がかかる。また、室内機増設時の識別アドレスが再設定できないという課題を有していた。
【０００７】
本発明はこのような従来の課題を解決するものであり、短時間で自動的に室内機の識別アドレスを設定でき、更に、室内機増設時に識別アドレスを再設定できる空気調和機を提供することを目的とする。
【課題を解決するための手段】
【０００８】
上記目的を達成するために本発明の空気調和機は、室内機の識別アドレスを記憶するアドレス記憶部と、複数の室内機の冷媒流量を制御する分岐ユニットと、前記アドレス記憶部の識別アドレスにて前記分岐ユニットと通信を行う室内通信部と、室内機の熱交換器温度を検知する温度検知部と、室内機と通信を行う分岐ユニット通信部と、接続された室内機の冷媒流量を制御する冷媒制御弁と、アドレス設定開始部と、室内機の識別アドレスを決定するアドレス決定部とを備え、前記分岐ユニット通信部と前記冷媒制御弁と前記アドレス設定開始部と前記アドレス決定部とが前記分岐ユニットに設けらものである。
【０００９】
上記構成によって、短時間で自動的に室内機の識別アドレスを設定でき、また室内機増設時、識別アドレスを再設定できる。
【発明の効果】
【００１０】
上記から明らかなように本発明によれば、短時間で自動的に室内機の識別アドレスを設定でき、また室内機増設時、識別アドレスを再設定できるという優れた効果を奏することができる。
【発明を実施するための最良の形態】
【００１１】
以下、本発明の実施の形態について図面を参照して説明する。
【００１２】
（実施の形態１）
図１は本発明の実施の形態１による空気調和機の構成を示すブロック図であり、図１において、１は複数の室内機１０ａ、１０ｂ、１０ｃの冷媒流量を制御する分岐ユニットであり、２ａ、２ｂ、２ｃは接続される室内機１０ａ、１０ｂ、１０ｃの冷媒流量を制御する冷媒制御弁であり、３は室内機１０ａ、１０ｂ、１０ｃと通信を行う分岐ユニット通信部であり、４ａ、４ｂ、４ｃは分岐ユニット通信部３と通信を行う室内通信部であり、５ａ、５ｂ、５ｃは室内機１０ａ、１０ｂ、１０ｃ各々の熱交換器９ａ、９ｂ、９ｃの温度を検知する温度検知部であり、６は室内機の識別アドレスを設定開始するアドレス設定開始部である。
【００１３】
以上のように構成された空気調和機について、以下その動作を説明する。アドレス設定開始部６にてアドレス設定開始となれば、冷媒制御弁２ａ、２ｂ、２ｃが異なる開度を設定すると共に、分岐ユニット通信部３から室内機通信部４ａ、４ｂ、４ｃに対し、識別アドレスの設定開始を送信する。アドレス設定開始を受信した室内通信部４ａ、４ｂ、４ｃは温度検知部５ａ、５ｂ、５ｃで検出した温度を読み取り、検出した温度を分岐ユニット通信部３に送信する。各室内機１０ａ、１０ｂ、１０ｃの異なる温度を分岐ユニット通信部３が受信することで、アドレス決定部７が冷媒制御弁２ａ、２ｂ、２ｃの最大開度冷媒制御弁に最高熱交温度室内機が、また最小開度冷媒制御弁に最低熱交温度室内機が接続されていると判断し、識別アドレスを決定する。識別アドレスを決定することで、分岐ユニット通信部３から室内機通信部４ａ、４ｂ、４ｃに対し、識別アドレスを各々送信する。識別アドレスを受信した室内機通信部４ａ、４ｂ、４ｃはアドレス記憶部８ａ、８ｂ、８ｃに識別アドレスを格納することで、一度の冷媒制御弁２ａ、２ｂ、２ｃの操作により短時間で自動的に室内機１０ａ、１０ｂ、１０ｃの識別アドレスを設定できる。
【００１４】
また、アドレス設定開始部６を設けたことで、室内機の増加に伴い再度、識別アドレスの設定を行う時には、上記と同様の制御を行うことにより、再度識別アドレスの設定を行うことができる。
【図面の簡単な説明】
【００１５】
【図１】本発明の実施の形態１における空気調和機を示すブロック図
【図２】従来の空気調和機を示すブロック図
【符号の説明】
【００１６】
１  分岐ユニット
２  冷媒制御弁
３  分岐ユニット通信部
４  室内通信部
５  温度検知部
６  アドレス設定開始部
７  アドレス決定部
８  アドレス記憶部
１０  室内機
【図１】
2005055052.tif 000003
【図２】
2005055052.tif 000004